(57)【要約】【課題】容器本体の胴部を押圧して染毛液や頭髪用化粧液等の内容液を吐出させた後に、再度、その容器本体の胴部を押圧して内容液を吐出させても、その内容液と空気が一緒に出たり、空気が混入された内容液が泡立った状態で吐出されることがなく、また再度、その容器本体の胴部を押圧して内容液を吐出させるときの吐出効率が悪くなることのないスクイズ容器を提供する。【解決手段】内溶液Ｌを収容する押圧変形可能な容器本体１と、この容器本体１に装着される櫛付きノズル２を有したキャップ３とからなり、前記容器本体１は、押圧変形後、元の形状に復帰可能なものとし、前記キャップ３には、容器本体１内に空気を吸入するときには開き、容器本体１外に空気を排出するときには閉まるようにした逆止弁８が設けられ、さらにこの逆止弁８には、容器本体１内の底部に到るようにした空気吸入管９が連結されたものとしている。【選択図】図１
2008024339.tif 000002
【特許請求の範囲】
【請求項１】
内溶液（Ｌ）を収容する押圧変形可能な容器本体（１）と、この容器本体（１）に装着される櫛付きノズル（２）を有したキャップ（３）とからなり、前記容器本体（１）は、押圧変形後、元の形状に復帰可能なものとし、前記キャップ（３）には、容器本体（１）内に空気を吸入するときには開き、容器本体（１）外に空気を排出するときには閉まるようにした逆止弁（８）が設けられ、さらにこの逆止弁（８）には、容器本体（１）内の底部に到るようにした空気吸入管（９）が連結されたことを特徴とするスクイズ容器。
【請求項２】
前記容器本体（１）の胴部（１ａ）の一部を薄肉部（４）として、この薄肉部（４）を他の部分より弱い押圧力で押圧変形後、元の形状に復帰可能なものとしたことを特徴とする請求項１記載のスクイズ容器。
【発明の詳細な説明】
【技術分野】
【０００１】
この発明は、容器本体の胴部を押圧することにより、容器本体内に収容した染毛液や頭髪用化粧液等の内容物を押し出すことのできるスクイズ容器に関するものである。
【背景技術】
【０００２】
従来、この種のスクイズ容器としては、例えば図６に示したような染髪・整髪用櫛具や、図７に示したような塗布具が存在する。これらの染髪・整髪用櫛具や塗布具は、染毛液や頭髪用化粧液等を収容する押圧変形可能な容器本体１１と、この容器本体１１に装着される櫛付きノズル１２からなるものとしている（特許文献１、２）。
【０００３】
これらのスクイズ容器は、容器本体１１の胴部１１ａを押圧して櫛付きノズル１２から染毛液や頭髪用化粧液等を吐出させながら、櫛付きノズル１２の櫛歯１３によって毛髪を梳くことにより、染毛液や頭髪用化粧液等を毛髪に塗布することができ、手を汚すことなく、簡単に染毛作業や頭髪のセットを行えるようにしている。
【特許文献１】特開昭６１−２４０９０４号公報（第１頁、第１図）
【特許文献２】特開２０００−６２８６１号公報（第１頁、図１）
【発明の開示】
【発明が解決しようとする課題】
【０００４】
しかしながら、従来のスクイズ容器では、上記したように容器本体１１の胴部１１ａを押圧して染毛液や頭髪用化粧液等の内容液を吐出させた後に、その押圧力を解除すると容器本体１１の胴部１１ａが元の形状に戻るが、このときにノズルから空気を吸引し、この空気はそのノズル近くの内容液に混入してしまう。ところが、染毛液や頭髪用化粧液等の内容液は、粘性を帯びているものが多く、ノズル近くの内溶液に混入した空気は、その内溶液とは直ぐに分離することがない。そして、再度、容器本体１１の胴部１１ａを押圧して内容液を吐出させると、その内容液と空気が一緒に出たり、空気が混入された内容液が泡立った状態で吐出されることになり、染毛作業や頭髪のセットがし難くなるという問題点を有していた。
【０００５】
また、従来のスクイズ容器では、上記したように内容液を吐出させた後に、容器本体１１の胴部１１ａが元の形状に戻るときにノズルから空気を吸引するため、このノズルに付けている櫛歯１３の中空部１３ａにも空気が入る。そして、再度、容器本体１１の胴部１１ａを押圧して内容液を吐出させるときに、この櫛歯１３の中空部１３ａに入った空気を押し出してからでないと、櫛歯１３に内容液が到達しないことになる。そのため、容器本体１１の胴部１１ａを押圧する程度を大きくしなければならず、吐出効率が悪くなるという問題点を有していた。
【０００６】
そこで、この発明は、上記従来の問題点を解決するものであり、容器本体の胴部を押圧して染毛液や頭髪用化粧液等の内容液を吐出させた後に、再度、その容器本体の胴部を押圧して内容液を吐出させても、その内容液と空気が一緒に出たり、空気が混入された内容液が泡立った状態で吐出されることがなく、また再度、その容器本体の胴部を押圧して内容液を吐出させるときの吐出効率が悪くなることのないスクイズ容器を提供することを目的としてなされたものである。
【課題を解決するための手段】
【０００７】
そのため、この発明のスクイズ容器は、内溶液Ｌを収容する押圧変形可能な容器本体１と、この容器本体１に装着される櫛付きノズル２を有したキャップ３とからなり、前記容器本体１は、押圧変形後、元の形状に復帰可能なものとし、前記キャップ３には、容器本体１内に空気を吸入するときには開き、容器本体１外に空気を排出するときには閉まるようにした逆止弁８が設けられ、さらにこの逆止弁８には、容器本体１内の底部に到るようにした空気吸入管９が連結されたものとしている。
【０００８】
そして、この発明のスクイズ容器は、前記容器本体１の胴部１ａの一部を薄肉部４として、この薄肉部４を他の部分より弱い押圧力で押圧変形後、元の形状に復帰可能なものとすることができる。
【発明の効果】
【０００９】
この発明のスクイズ容器は、以上に述べたように構成されているので、容器本体の胴部を押圧して染毛液や頭髪用化粧液等の内容液を吐出させた後に、再度、その容器本体の胴部を押圧して内容液を吐出させても、その内容液と空気が一緒に出たり、空気が混入された内容液が泡立った状態で吐出されることがなく、また再度、その容器本体の胴部を押圧して内容液を吐出させるときの吐出効率が悪くなることがないものとなった。
【発明を実施するための最良の形態】
【００１０】
以下、この発明のスクイズ容器の実施の形態を、図面に基づいて詳細に説明する。
【００１１】
この発明のスクイズ容器は、図１に示したように、染毛液や頭髪用化粧液等の内溶液Ｌを収容する押圧変形可能な容器本体１と、この容器本体１に装着される櫛付きノズル２を有したキャップ３とからなるものとしている
前記容器本体１は、合成樹脂により略円筒形状に形成されており、全体を押圧変形後、元の形状に復帰可能なものとしている。また、この容器本体１は、図２に示したように、胴部１ａの一部を薄肉部４として、この薄肉部４を他の部分より弱い押圧力で押圧変形後、元の形状に復帰可能なものとすることができる。
【００１２】
前記櫛付きノズル２は、キャップ３に一体成形することにより連設されており、図３に示したように、ノズル部２ａの先端に複数本の櫛歯５を設けたものとし、これら櫛歯５の先端には吐出口６が形成され、さらにこれら吐出口６とノズル部２ａとを連通する連通路７を櫛歯５の内部に形成している。
【００１３】
前記キャップ３は、ねじ込み式として、容器本体１の先端開口に着脱可能に装着されており、密栓時には容器本体１の内容液Ｌが漏れ出ないようにしている。さらに、このキャップ３の上面には、容器本体１内に空気を吸入するときには開き、容器本体１外に空気を排出するときには閉まるようにした逆止弁８が設けられている。この逆止弁８には、容器本体１内の底部に到るようにした空気吸入管９が連結されている。
【００１４】
以上のように構成したこの発明のスクイズ容器は、以下のようにして使用することができる。
【００１５】
先ず、この発明のスクイズ容器の容器本体１を傾け、図４（ａ）に示したように、この容器本体１の胴部１ａを押圧すれば、容器本体１内の染毛液や頭髪用化粧液等の内容液Ｌは、櫛付きノズル２のノズル部２ａから櫛歯５の内部の連通路７を通り、吐出口６から吐出するので、この櫛歯５によって毛髪を梳くことにより、前記内容液Ｌを毛髪に塗布することができる。
【００１６】
次に、容器本体１の胴部１ａを押圧していた力を解除すると、図４（ｂ）に示したように、容器本体１が元の形状の復帰しようとするので、このときキャップ３に設けられた逆止弁８が開いて空気が吸入され、空気吸入管９から容器本体１の底部に空気が導入され、この容器本体１の底部の内容液Ｌ、または容器本体１の底部の空間部Ｓに空気が混入される。したがって、容器本体１のキャップ３の付近の内容液Ｌには空気が混入されないことになる。
【００１７】
そして、再度、容器本体１の胴部１ａを押圧すると、図４（ｃ）に示したように、逆止弁７が閉じ、容器本体１の内容液Ｌが櫛付きノズル２に送られ、最初に容器本体１の胴部１ａを押圧して櫛歯５の内部の連通路７を通り、吐出口６まで到達した内容液Ｌが押し出され、吐出口５から吐出されると共に、再度の押圧によって前記櫛付きノズル２に送られた内容液Ｌも吐出されることになる。
【００１８】
この場合、この発明のスクイズ容器では、容器本体１のキャップ３の付近の内容液Ｌが吐出されることになり、この内容液Ｌには空気が混入されていないので、その内容液Ｌと空気が一緒に出たり、空気が混入された内容液が泡立った状態で吐出されることはないので、染毛作業や頭髪のセットがし易いものとなる。
【００１９】
また、この発明のスクイズ容器では、最初に内容液Ｌを吐出させた後に、容器本体１の胴部１ａが元の形状に復帰するときに、空気を吐出口６からではなく空気吸入管９から吸入するため、吐出口６に続く櫛歯５の連通路７に空気が入らないので、再度、容器本体１の胴部１ａを押圧して内容液Ｌを吐出させるときに、この櫛歯５の連通路７に入った空気を押し出さなくても、前記したように吐出口６まで到達している内容液がそのまま押し出されるので、容器本体１の胴部１ａを押圧する程度を大きくしなくてもよくなり、吐出効率が悪くなることもない。
【００２０】
なお、この発明のスクイズ容器は、胴部１ａの一部を薄肉部４としたものでは、図５に示したように、容器本体１を逆さにし、この容器本体１の胴部１ａの薄肉部４のみを押圧すれば、染毛液や頭髪用化粧液等の内容液Ｌの一定量を吐出することができ、染毛作業や頭髪のセットがし易いものとなる。
【図面の簡単な説明】
【００２１】
【図１】この発明のスクイズ容器の一実施形態を示す断面図である。
【図２】この発明のスクイズ容器の他の実施形態を示す断面図である。
【図３】図１中のＡ−Ａ線によるこの発明のスクイズ容器の部分断面図である。
【図４】図１に示したこの発明のスクイズ容器の使用状態を示す説明図である。
【図５】図２に示したこの発明のスクイズ容器の使用状態を示す説明図である。
【図６】従来のスクイズ容器の一例を示す断面図である。
【図７】従来のスクイズ容器の他の例を示す断面図である。
【符号の説明】
【００２２】
１  容器本体
１ａ  胴部
２  櫛付きノズル
３  キャップ
４  薄肉部
８  逆止弁
９  空気吸入管
Ｌ  内容液
【図１】
2008024339.tif 000003
【図２】
2008024339.tif 000004
【図３】
2008024339.tif 000005
【図４】
2008024339.tif 000006
【図５】
2008024339.tif 000007
【図６】
2008024339.tif 000008
【図７】
2008024339.tif 000009